(57)【要約】【課題】複数台（４台、９台など）のテレビジョン受像機の映像モニタをマトリックス配置したマルチ表示装置において、各映像モニタの設置位置の設定作業を簡略化する。【解決手段】各映像モニタ８のベゼル８１の４側面には、それぞれ（例えば押しボタン）スイッチＳＷ１〜ＳＷ４が、（その突出・後退によって）ｏｎ／ｏｆｆを切り替えるように設けられている。各映像モニタ８は、（押しボタン）スイッチＳＷ１〜ＳＷ４のｏｎ／ｏｆｆ状態を検出して自己の設置位置を認識する。これにより、作業者が映像モニタ８ごとに設定する必要がなくなる。そのため、映像モニタ８の個数が多くても、作業者による設定作業が不要となり、人的な設定ミスを回避することができる。【選択図】図２
2006261842.tif 000002
【特許請求の範囲】
【請求項１】
複数個の映像モニタがマトリックス配置されたマルチ表示装置において、
前記各映像モニタは、当該映像モニタの周囲に位置する他の映像モニタとの接続関係を検出して自己の設置位置を認識することを特徴とするマルチ表示装置。
【請求項２】
長方形枠状のベゼルを有する複数個の映像モニタがマトリックス配置されたマルチ表示装置において、
前記各映像モニタのベゼルの垂直側面および水平側面には、それぞれ押しボタンスイッチが、その突出・後退によってｏｎ／ｏｆｆを切り替えるように設けられ、
前記各映像モニタは、当該映像モニタの押しボタンスイッチのｏｎ／ｏｆｆ状態を検出して自己の設置位置を認識することを特徴とするマルチ表示装置。
【請求項３】
長方形枠状のベゼルを有する複数個の映像モニタがマトリックス配置されたマルチ表示装置において、
前記各映像モニタのベゼルの垂直側面および水平側面には、それぞれ光センサが設けられ、
前記各映像モニタは、当該映像モニタの光センサの出力信号を検出して自己の設置位置を認識することを特徴とするマルチ表示装置。
【請求項４】
複数個の映像モニタがマトリックス配置されて制御ケーブルで順次接続されたマルチ表示装置において、
前記各映像モニタは、前記制御ケーブルの接続状態に基づいて自己の設置位置を認識することを特徴とするマルチ表示装置。
【発明の詳細な説明】
【技術分野】
【０００１】
本発明は、エンラージ機能を備えたテレビジョン受像機などの画像表示装置を複数台（例えば、４台、９台）つなげてマトリックス配置したマルチ表示装置に関するものである。
【背景技術】
【０００２】
この種のマルチ表示装置においては、各画像表示装置のエンラージ機能を利用して画像を拡大表示させることができる（例えば、特許文献１参照）。
【０００３】
こうした拡大表示を適正に行うためには、その前提として、各映像モニタにその設置位置を認識させる必要がある。そこで、従来は、映像モニタごとに作業者が設定を行っていた。
【特許文献１】特開平４−１３９４９４号公報
【発明の開示】
【発明が解決しようとする課題】
【０００４】
しかし、これでは、作業者が映像モニタごとに設定しなければならないので、特に映像モニタの個数が多い場合、設定作業が繁雑であるばかりか、人的な設定ミスを誘発する危険性を伴うという不都合があった。
【０００５】
本発明は、こうした不都合を解消することが可能なマルチ表示装置を提供することを目的とする。
【課題を解決するための手段】
【０００６】
まず、請求項１に係るマルチ表示装置の発明は、複数個の映像モニタがマトリックス配置されたマルチ表示装置において、前記各映像モニタは、当該映像モニタの周囲に位置する他の映像モニタとの接続関係を検出して自己の設置位置を認識することを特徴とする。
また、請求項２に係るマルチ表示装置の発明は、長方形枠状のベゼルを有する複数個の映像モニタがマトリックス配置されたマルチ表示装置において、前記各映像モニタのベゼルの垂直側面および水平側面には、それぞれ押しボタンスイッチが、その突出・後退によってｏｎ／ｏｆｆを切り替えるように設けられ、前記各映像モニタは、当該映像モニタの押しボタンスイッチのｏｎ／ｏｆｆ状態を検出して自己の設置位置を認識することを特徴とする。
また、請求項３に係るマルチ表示装置の発明は、長方形枠状のベゼルを有する複数個の映像モニタがマトリックス配置されたマルチ表示装置において、前記各映像モニタのベゼルの垂直側面および水平側面には、それぞれ光センサが設けられ、前記各映像モニタは、当該映像モニタの光センサの出力信号を検出して自己の設置位置を認識することを特徴とする。
また、請求項４に係るマルチ表示装置の発明は、複数個の映像モニタがマトリックス配置されて制御ケーブルで順次接続されたマルチ表示装置において、前記各映像モニタは、前記制御ケーブルの接続状態に基づいて自己の設置位置を認識することを特徴とする。
【発明の効果】
【０００７】
本発明によれば、複数個の映像モニタをマトリックス配置するだけで、各映像モニタは自己の設置位置を認識することができる。したがって、作業者が映像モニタごとに設定する必要がなくなる。そのため、映像モニタの個数が多くても、作業者による設定作業が不要となり、人的な設定ミスを回避することが可能となる。および、設置にかかる時間を削減することが可能となる。
【発明を実施するための最良の形態】
【０００８】
以下、本発明の実施形態を図面に基づいて説明する。
【０００９】
図１はテレビジョン受像機の制御ブロック図、図２は図１に示すテレビジョン受像機の映像モニタを示す正面図（上左図）、右側面図（上右図）および背面図（下図）、図３は図２に示す映像モニタを用いて４画面のマルチ表示装置の一例を構成した状態を示す正面図、図４は図２に示す映像モニタを用いて９画面のマルチ表示装置の一例を構成した状態を示す正面図、図５はＩＤ自動検出プログラムの第１例を示すフローチャート、図６は図２に示す映像モニタを用いて４画面のマルチ表示装置の別の例を構成した状態を示す正面図、図７はＩＤ自動検出プログラムの第２例を示すフローチャートである。
【００１０】
テレビジョン受像機１は、図１に示すように、アンテナを経由して受信したＲＦ信号をビデオ信号にデコードするチューナ２と、コンポジット、Ｓ、コンポーネントのいずれかのビデオ信号を入力するビデオ入力部３と、チューナ２からのビデオ信号またはビデオ入力部３からのビデオ信号を切り替えるビデオスイッチ４と、１フレームの映像情報を保存するフレームメモリ５と、ビデオ信号のＩＰ変換、スケーリング、デジタルＲＧＢ変換などを行う映像処理回路６と、映像、文字などの画像情報を拡大表示するＬＣＤ（液晶ディスプレイ）、ＰＤＰ（プラズマディスプレイパネル）などの映像モニタ８と、後述する４個の押しボタンスイッチＳＷ１〜ＳＷ４のｏｎ／ｏｆｆ状態を検出し、その組み合わせによってＩＤを認識して記憶するマイコン（マイクロコンピュータ）１０と、Ｒ／Ｃ信号をマイコン１０へ伝達するＲ／Ｃ受光部９と、ＲＯＭ（読取り専用記憶装置）１１とを備えている。
【００１１】
ところで、映像モニタ８は、図２に示すように、横長の長方形枠状のベゼル８１を有している。ベゼル８１の右側面には、モーメンタリ動作型（自動復帰型）の第１の押しボタンスイッチＳＷ１が横向きに突設されている。ベゼル８１の上側面には、モーメンタリ動作型の第２の押しボタンスイッチＳＷ２が上向きに突設されている。ベゼル８１の左側面には、モーメンタリ動作型の第３の押しボタンスイッチＳＷ３が横向きに突設されている。ベゼル８１の下側面には、モーメンタリ動作型の第４の押しボタンスイッチＳＷ４が下向きに突設されている。これらの押しボタンスイッチＳＷ１〜ＳＷ４は、通常の突出状態でｏｆｆとなり、後退状態でｏｎとなる電気接点構成を備えている。
【００１２】
また、ＲＯＭ１１には、図１に示すように、メモリマップ１２が読み出し自在に格納されており、メモリマップ１２には、マルチパネル画面数（４画面、９画面）ごとに、各押しボタンスイッチＳＷ１〜ＳＷ４のｏｎ／ｏｆｆ状態が映像モニタ８の設置位置に応じて記載されている。例えば、４画面の場合、画面１（図３の上段左列の映像モニタ８）については、押しボタンスイッチＳＷ１がｏｎ、押しボタンスイッチＳＷ２がｏｆｆ、押しボタンスイッチＳＷ３がｏｆｆ、押しボタンスイッチＳＷ４がｏｎと記載されており、画面２（図３の上段右列の映像モニタ８）については、押しボタンスイッチＳＷ１がｏｆｆ、押しボタンスイッチＳＷ２がｏｆｆ、押しボタンスイッチＳＷ３がｏｎ、押しボタンスイッチＳＷ４がｏｎと記載されている。また、９画面の場合、画面１（図４の上段左列の映像モニタ８）については、押しボタンスイッチＳＷ１がｏｎ、押しボタンスイッチＳＷ２がｏｆｆ、押しボタンスイッチＳＷ３がｏｆｆ、押しボタンスイッチＳＷ４がｏｎと記載されており、画面２（図４の上段中央列の映像モニタ８）については、押しボタンスイッチＳＷ１がｏｎ、押しボタンスイッチＳＷ２がｏｆｆ、ＳＷ３がｏｎ、押しボタンスイッチＳＷ４がｏｎと記載されている。
【００１３】
そして、このテレビジョン受像機１を４台使用して構成した４画面のマルチ表示装置２１においては、図３に示すように、４個の映像モニタ８が２段２列（画面１、画面２、画面３、画面４）でマトリックス配置されている。
【００１４】
このとき、画面１（図３の上段左列の映像モニタ８）については、押しボタンスイッチＳＷ１が画面２（図３の上段右列の映像モニタ８）のベゼル８１に押される形で後退してｏｎとなっており、押しボタンスイッチＳＷ２、ＳＷ３がいずれも突出したままでｏｆｆとなっており、押しボタンスイッチＳＷ４が画面３（図３の下段左列の映像モニタ８）のベゼル８１に押される形で後退してｏｎとなっている。
【００１５】
また、画面２については、押しボタンスイッチＳＷ１、ＳＷ２がいずれも突出したままでｏｆｆとなっており、押しボタンスイッチＳＷ３が画面１のベゼル８１に押される形で後退してｏｎとなっており、押しボタンスイッチＳＷ４が画面４（図３の下段右列の映像モニタ８）のベゼル８１に押される形で後退してｏｎとなっている。
【００１６】
また、画面３については、押しボタンスイッチＳＷ１が画面４のベゼル８１に押される形で後退してｏｎとなっており、押しボタンスイッチＳＷ２が画面１のベゼル８１に押される形で後退してｏｎとなっており、押しボタンスイッチＳＷ３、ＳＷ４がいずれも突出したままでｏｆｆとなっている。
【００１７】
さらに、画面４については、押しボタンスイッチＳＷ１、ＳＷ４がいずれも突出したままでｏｆｆとなっており、押しボタンスイッチＳＷ２が画面２に押される形で後退してｏｎとなっており、押しボタンスイッチＳＷ３が画面３のベゼル８１に押される形で後退してｏｎとなっている。
【００１８】
一方、テレビジョン受像機１を９台使用して構成した９画面のマルチ表示装置３１においては、図４に示すように、９個の映像モニタ８が３段３列（画面１、画面２、画面３、画面４、画面５、画面６、画面７、画面８、画面９）でマトリックス配置されている。
【００１９】
このとき、画面１（図４の上段左列の映像モニタ８）については、押しボタンスイッチＳＷ１が画面２（図の上段中央列の映像モニタ８）のベゼル８１に押される形で後退してｏｎとなっており、押しボタンスイッチＳＷ２、ＳＷ３がいずれも突出したままでｏｆｆとなっており、押しボタンスイッチＳＷ４が画面４（図４の中段左列の映像モニタ８）のベゼル８１に押される形で後退してｏｎとなっている。
【００２０】
また、画面２については、押しボタンスイッチＳＷ１が画面３（図４の上段右列の映像モニタ８）のベゼル８１に押される形で後退してｏｎとなっており、押しボタンスイッチＳＷ２が突出したままでｏｆｆとなっており、押しボタンスイッチＳＷ３が画面１のベゼル８１に押される形で後退してｏｎとなっており、押しボタンスイッチＳＷ４が画面５（図４の中段中央列の映像モニタ８）のベゼル８１に押される形で後退してｏｎとなっている。
【００２１】
また、画面３については、押しボタンスイッチＳＷ１、ＳＷ２がいずれも突出したままでｏｆｆとなっており、押しボタンスイッチＳＷ３が画面２のベゼル８１に押される形で後退してｏｎとなっており、押しボタンスイッチＳＷ４が画面６（図４の中段右列の映像モニタ８）のベゼル８１に押される形で後退してｏｎとなっている。
【００２２】
また、画面４については、押しボタンスイッチＳＷ１が画面５のベゼル８１に押される形で後退してｏｎとなっており、押しボタンスイッチＳＷ２が画面１のベゼル８１に押される形で後退してｏｎとなっており、押しボタンスイッチＳＷ３が突出したままでｏｆｆとなっており、押しボタンスイッチＳＷ４が画面７（図４の下段左列の映像モニタ８）のベゼル８１に押される形で後退してｏｎとなっている。
【００２３】
また、画面５については、押しボタンスイッチＳＷ１が画面６のベゼル８１に押される形で後退してｏｎとなっており、押しボタンスイッチＳＷ２が画面２のベゼル８１に押される形で後退してｏｎとなっており、押しボタンスイッチＳＷ３が画面４のベゼル８１に押される形で後退してｏｎとなっており、押しボタンスイッチＳＷ４が画面８（図４の下段中央列の映像モニタ８）のベゼル８１に押される形で後退してｏｎとなっている。
【００２４】
また、画面６については、押しボタンスイッチＳＷ１が突出したままでｏｆｆとなっており、押しボタンスイッチＳＷ２が画面３のベゼル８１に押される形で後退してｏｎとなっており、押しボタンスイッチＳＷ３が画面５のベゼル８１に押される形で後退してｏｎとなっており、押しボタンスイッチＳＷ４が画面９（図４の下段右列の映像モニタ８）のベゼル８１に押される形で後退してｏｎとなっている。
【００２５】
また、画面７については、押しボタンスイッチＳＷ１が画面８のベゼル８１に押される形で後退してｏｎとなっており、押しボタンスイッチＳＷ２が画面４のベゼル８１に押される形で後退してｏｎとなっており、押しボタンスイッチＳＷ３、ＳＷ４がいずれも突出したままでｏｆｆとなっている。
【００２６】
また、画面８については、押しボタンスイッチＳＷ１が画面９のベゼル８１に押される形で後退してｏｎとなっており、押しボタンスイッチＳＷ２が画面５のベゼル８１に押される形で後退してｏｎとなっており、押しボタンスイッチＳＷ３が画面７のベゼル８１に押される形で後退してｏｎとなっており、押しボタンスイッチＳＷ４が突出したままでｏｆｆとなっている。
【００２７】
さらに、画面９については、押しボタンスイッチＳＷ１、ＳＷ４がいずれも突出したままでｏｆｆとなっており、押しボタンスイッチＳＷ２が画面６のベゼル８１に押される形で後退してｏｎとなっており、押しボタンスイッチＳＷ３が画面８のベゼル８１に押される形で後退してｏｎとなっている。
【００２８】
そして、これら２種のマルチ表示装置２１、３１に映像（画像、文字）の拡大表示を行う際には、各テレビジョン受像機１のマイコン１０は、図５に示すＩＤ自動検出プログラムＰＲＧ１に基づき、次に述べるとおり、各種の動作を順次実行する。
【００２９】
まず、マイコン１０は、すべての押しボタンスイッチＳＷ１〜ＳＷ４のｏｎ／ｏｆｆ状態を検出し、２個以上の押しボタンスイッチＳＷがｏｎとなっているか否かを判定する（ＩＤ自動検出プログラムＰＲＧ１のステップＳ１）。
【００３０】
その結果、ｏｎとなっている押しボタンスイッチＳＷが１個以下であるテレビジョン受像機１が１台でもあった場合、マルチ表示装置２１、３１が構成されていないと考えられる。なぜなら、４画面のマルチ表示装置２１においては、すべてのテレビジョン受像機１について、２個の押しボタンスイッチＳＷがｏｎとなっており、９画面のマルチ表示装置３１においては、すべてのテレビジョン受像機１について、２〜４個の押しボタンスイッチＳＷがｏｎとなっているからである。
【００３１】
逆に、２個以上の押しボタンスイッチＳＷがｏｎとなっている場合、４画面または９画面のマルチ表示装置２１、３１が構成されていると考えられる。そこで、マイコン１０は、４画面マルチと９画面マルチのいずれかを選択する画面を映像モニタ８上にＯＳＤ表示する（ＩＤ自動検出プログラムＰＲＧ１のステップＳ２）。これを見て作業者は、４画面マルチと９画面マルチのいずれかを選択する。
【００３２】
そして、ここで４画面マルチが選択されると（ＩＤ自動検出プログラムＰＲＧ１のステップＳ３）、マイコン１０は、すべての押しボタンスイッチＳＷ１〜ＳＷ４のｏｎ／ｏｆｆ状態を検出し（ＩＤ自動検出プログラムＰＲＧ１のステップＳ４）、その検出結果に基づき、ＲＯＭ１１に格納されたメモリマップ１２を参照して４つの映像モニタ８の設置位置を認識する。
【００３３】
すなわち、マイコン１０は、「押しボタンスイッチＳＷ１、ＳＷ４がｏｎ、押しボタンスイッチＳＷ２、ＳＷ３がｏｆｆ」であるか否かを判定する（ＩＤ自動検出プログラムＰＲＧ１のステップＳ５）。その結果、「押しボタンスイッチＳＷ１、ＳＷ４がｏｎ、押しボタンスイッチＳＷ２、ＳＷ３がｏｆｆ」である場合、メモリマップ１２によれば、このｏｎ／ｏｆｆ状態に合致するのは画面１（図３の上段左列の映像モニタ８）しかないので、マイコン１０は、当該映像モニタ８の設置位置を「上段左列」と認識し、この上段左列を表す「ＩＤ１」を書き込む（ＩＤ自動検出プログラムＰＲＧ１のステップＳ６）。
【００３４】
逆に、「押しボタンスイッチＳＷ１、ＳＷ４がｏｎ、押しボタンスイッチＳＷ２、ＳＷ３がｏｆｆ」でない場合、マイコン１０は、「押しボタンスイッチＳＷ１、ＳＷ２がｏｆｆ、押しボタンスイッチＳＷ３、ＳＷ４がｏｎ」であるか否かを判定する（ＩＤ自動検出プログラムＰＲＧ１のステップＳ７）。その結果、「押しボタンスイッチＳＷ１、ＳＷ２がｏｆｆ、押しボタンスイッチＳＷ３、ＳＷ４がｏｎ」である場合、メモリマップ１２によれば、このｏｎ／ｏｆｆ状態に合致するのは画面２（図３の上段右列の映像モニタ８）しかないので、マイコン１０は、当該映像モニタ８の設置位置を「上段右列」と認識し、この上段右列を表す「ＩＤ２」を書き込む（ＩＤ自動検出プログラムＰＲＧ１のステップＳ８）。
【００３５】
逆に、「押しボタンスイッチＳＷ１、ＳＷ２がｏｆｆ、押しボタンスイッチＳＷ３、ＳＷ４がｏｎ」でない場合、マイコン１０は、「押しボタンスイッチＳＷ１、ＳＷ２がｏｎ、押しボタンスイッチＳＷ３、ＳＷ４がｏｆｆ」であるか否かを判定する（ＩＤ自動検出プログラムＰＲＧ１のステップＳ９）。その結果、「押しボタンスイッチＳＷ１、ＳＷ２がｏｎ、押しボタンスイッチＳＷ３、ＳＷ４がｏｆｆ」である場合、メモリマップ１２によれば、このｏｎ／ｏｆｆ状態に合致するのは画面３（図３の下段左列の映像モニタ８）しかないので、マイコン１０は、当該映像モニタ８の設置位置を「下段左列」と認識し、この下段左列を表す「ＩＤ３」を書き込む（ＩＤ自動検出プログラムＰＲＧ１のステップＳ１０）。
【００３６】
逆に、「押しボタンスイッチＳＷ１、ＳＷ２がｏｎ、押しボタンスイッチＳＷ３、ＳＷ４がｏｆｆ」でない場合、マイコン１０は、「押しボタンスイッチＳＷ１、ＳＷ４がｏｆｆ、押しボタンスイッチＳＷ２、ＳＷ３がｏｎ」であるか否かを判定する（ＩＤ自動検出プログラムＰＲＧ１のステップＳ１１）。その結果、「押しボタンスイッチＳＷ１、ＳＷ４がｏｆｆ、押しボタンスイッチＳＷ２、ＳＷ３がｏｎ」である場合、メモリマップ１２によれば、このｏｎ／ｏｆｆ状態に合致するのは画面４（図３の下段右列の映像モニタ８）しかないので、マイコン１０は、当該映像モニタ８の設置位置を「下段右列」と認識し、この上段右列を表す「ＩＤ４」を書き込む（ＩＤ自動検出プログラムＰＲＧ１のステップＳ１２）。
【００３７】
このようにして、４画面のマルチ表示装置２１においては、すべての映像モニタ８が自己の設置位置を自動認識することができる。
【００３８】
他方、９画面マルチが選択されると（ＩＤ自動検出プログラムＰＲＧ１のステップＳ１３）、マイコン１０は、すべての押しボタンスイッチＳＷ１〜ＳＷ４のｏｎ／ｏｆｆ状態を検出し（ＩＤ自動検出プログラムＰＲＧ１のステップＳ１４）、その検出結果に基づき、ＲＯＭ１１に格納されたメモリマップ１２を参照して９つの映像モニタ８の設置位置を認識する。
【００３９】
すなわち、マイコン１０は、「押しボタンスイッチＳＷ１、ＳＷ４がｏｎ、押しボタンスイッチＳＷ２、ＳＷ３がｏｆｆ」であるか否かを判定する（ＩＤ自動検出プログラムＰＲＧ１のステップＳ１５）。その結果、「押しボタンスイッチＳＷ１、ＳＷ４がｏｎ、押しボタンスイッチＳＷ２、ＳＷ３がｏｆｆ」である場合、メモリマップ１２によれば、このｏｎ／ｏｆｆ状態に合致するのは画面１（図４の上段左列の映像モニタ８）しかないので、マイコン１０は、当該映像モニタ８の設置位置を「上段左列」と認識し、この上段左列を表す「ＩＤ１」を書き込む。
【００４０】
逆に、「押しボタンスイッチＳＷ１、ＳＷ４がｏｎ、押しボタンスイッチＳＷ２、ＳＷ３がｏｆｆ」でない場合、マイコン１０は、「押しボタンスイッチＳＷ１、ＳＷ３、ＳＷ４がｏｎ、押しボタンスイッチＳＷ２がｏｆｆ」であるか否かを判定する。その結果、「押しボタンスイッチＳＷ１、ＳＷ３、ＳＷ４がｏｎ、押しボタンスイッチＳＷ２がｏｆｆ」である場合、メモリマップ１２によれば、このｏｎ／ｏｆｆ状態に合致するのは画面２（図４の上段中央列の映像モニタ８）しかないので、マイコン１０は、当該映像モニタ８の設置位置を「上段中央列」と認識し、この上段中央列を表す「ＩＤ２」を書き込む。
【００４１】
逆に、「押しボタンスイッチＳＷ１、ＳＷ３、ＳＷ４がｏｎ、押しボタンスイッチＳＷ２がｏｆｆ」でない場合、マイコン１０は、「押しボタンスイッチＳＷ１、ＳＷ２がｏｆｆ、押しボタンスイッチＳＷ３、ＳＷ４がｏｎ」であるか否かを判定する。その結果、「押しボタンスイッチＳＷ１、ＳＷ２がｏｆｆ、押しボタンスイッチＳＷ３、ＳＷ４がｏｎ」である場合、メモリマップ１２によれば、このｏｎ／ｏｆｆ状態に合致するのは画面３（図４の上段右列の映像モニタ８）しかないので、マイコン１０は、当該映像モニタ８の設置位置を「上段右列」と認識し、この上段右列を表す「ＩＤ３」を書き込む。
【００４２】
逆に、「押しボタンスイッチＳＷ１、ＳＷ２がｏｆｆ、押しボタンスイッチＳＷ３、ＳＷ４がｏｎ」でない場合、マイコン１０は、「押しボタンスイッチＳＷ１、ＳＷ２、ＳＷ４がｏｎ、押しボタンスイッチＳＷ３がｏｆｆ」であるか否かを判定する。その結果、「押しボタンスイッチＳＷ１、ＳＷ２、ＳＷ４がｏｎ、押しボタンスイッチＳＷ３がｏｆｆ」である場合、メモリマップ１２によれば、このｏｎ／ｏｆｆ状態に合致するのは画面４（図４の中段左列の映像モニタ８）しかないので、マイコン１０は、当該映像モニタ８の設置位置を「中段左列」と認識し、この中段左列を表す「ＩＤ４」を書き込む。
【００４３】
逆に、「押しボタンスイッチＳＷ１、ＳＷ２、ＳＷ４がｏｎ、押しボタンスイッチＳＷ３がｏｆｆ」でない場合、マイコン１０は、「押しボタンスイッチＳＷ１〜ＳＷ４がｏｎ」であるか否かを判定する。その結果、「押しボタンスイッチＳＷ１〜ＳＷ４がｏｎ」である場合、メモリマップ１２によれば、このｏｎ／ｏｆｆ状態に合致するのは画面５（図４の中段中央列の映像モニタ８）しかないので、マイコン１０は、当該映像モニタ８の設置位置を「中段中央列」と認識し、この中段中央列を表す「ＩＤ５」を書き込む。
【００４４】
逆に、「押しボタンスイッチＳＷ１〜ＳＷ４がｏｎ」でない場合、マイコン１０は、「押しボタンスイッチＳＷ１がｏｆｆ、押しボタンスイッチＳＷ２〜ＳＷ４がｏｎ」であるか否かを判定する。その結果、「押しボタンスイッチＳＷ１がｏｆｆ、押しボタンスイッチＳＷ２〜ＳＷ４がｏｎ」である場合、メモリマップ１２によれば、このｏｎ／ｏｆｆ状態に合致するのは画面６（図４の中段右列の映像モニタ８）しかないので、マイコン１０は、当該映像モニタ８の設置位置を「中段右列」と認識し、この中段右列を表す「ＩＤ６」を書き込む。
【００４５】
逆に、「押しボタンスイッチＳＷ１がｏｆｆ、押しボタンスイッチＳＷ２〜ＳＷ４がｏｎ」でない場合、マイコン１０は、「押しボタンスイッチＳＷ１、ＳＷ２がｏｎ、押しボタンスイッチＳＷ３、ＳＷ４がｏｆｆ」であるか否かを判定する。その結果、「押しボタンスイッチＳＷ１、ＳＷ２がｏｎ、押しボタンスイッチＳＷ３、ＳＷ４がｏｆｆ」である場合、メモリマップ１２によれば、このｏｎ／ｏｆｆ状態に合致するのは画面７（図４の下段左列の映像モニタ８）しかないので、マイコン１０は、当該映像モニタ８の設置位置を「下段左列」と認識し、この下段左列を表す「ＩＤ７」を書き込む。
【００４６】
逆に、「押しボタンスイッチＳＷ１、ＳＷ２がｏｎ、押しボタンスイッチＳＷ３、ＳＷ４がｏｆｆ」でない場合、マイコン１０は、「押しボタンスイッチＳＷ１〜ＳＷ３がｏｎ、押しボタンスイッチＳＷ４がｏｆｆ」であるか否かを判定する。その結果、「押しボタンスイッチＳＷ１〜ＳＷ３がｏｎ、押しボタンスイッチＳＷ４がｏｆｆ」である場合、メモリマップ１２によれば、このｏｎ／ｏｆｆ状態に合致するのは画面８（図４の下段中央列の映像モニタ８）しかないので、マイコン１０は、当該映像モニタ８の設置位置を「下段中央列」と認識し、この下段中央列を表す「ＩＤ８」を書き込む。
【００４７】
逆に、「押しボタンスイッチＳＷ１〜ＳＷ３がｏｎ、押しボタンスイッチＳＷ４がｏｆｆ」でない場合、マイコン１０は、「押しボタンスイッチＳＷ１、ＳＷ４がｏｆｆ、押しボタンスイッチＳＷ２、ＳＷ３がｏｎ」であるか否かを判定する。その結果、「押しボタンスイッチＳＷ１、ＳＷ４がｏｆｆ、押しボタンスイッチＳＷ２、ＳＷ３がｏｎ」である場合、メモリマップ１２によれば、このｏｎ／ｏｆｆ状態に合致するのは画面９（図４の下段右列の映像モニタ８）しかないので、マイコン１０は、当該映像モニタ８の設置位置を「下段右列」と認識し、この下段右列を表す「ＩＤ９」を書き込む。
【００４８】
このようにして、９画面のマルチ表示装置３１においても、すべての映像モニタ８が自己の設置位置を自動認識することができる。
【００４９】
なお、上述の実施形態においては、映像モニタ８のベゼル８１の４側面（右側面、上側面、左側面、下側面）の端部近傍に押しボタンスイッチＳＷ（ＳＷ１〜ＳＷ４）を設ける場合について説明したが、映像モニタ８をマトリックス配置したときに押しボタンスイッチＳＷ同士が干渉しない限り、押しボタンスイッチＳＷの設置位置はどこでも構わない。例えば、映像モニタ８の４側面の中央部寄りに押しボタンスイッチＳＷを設けてもよい。
【００５０】
なお、上述の実施形態においては、作業者が４画面／９画面を判別する場合について説明した。しかし、４画面のマルチ表示装置では、すべての映像モニタ８において２側面ｏｎで２側面ｏｆｆとなるのに対して、９画面のマルチ表示装置では、２側面ｏｎで２側面ｏｆｆの映像モニタ８と、３側面ｏｎで１側面ｏｆｆの映像モニタ８と、４側面ｏｎの映像モニタ８とが混在している。この違いから、４側面ｏｎの映像モニタ８が存在するか否かにより、４画面／９画面を判別することもできる。或いはまた、３側面ｏｎ、１側面ｏｆｆの映像モニタ８が存在するか否かにより、４画面／９画面を判別することも可能である。
【００５１】
なお、上述の実施形態においては、通常の突出状態でｏｆｆとなり、後退状態でｏｎとなる電気接点構成を備えた押しボタンスイッチＳＷ１〜ＳＷ４を用いる場合について説明したが、通常の突出状態でｏｎとなり、後退状態でｏｆｆとなる電気接点構成としてもよい。
【００５２】
なお、上述の実施形態においては、映像モニタ８のベゼル８１の４側面（右側面、上側面、左側面、下側面）にそれぞれ押しボタンスイッチＳＷ１〜ＳＷ４を設けた場合について説明したが、４画面のマルチ表示装置２１に限っては、ベゼル８１の垂直側面（右側面または左側面）と水平側面（上側面または下側面）の２側面に押しボタンスイッチＳＷを設ければ十分である。例えば、ベゼル８１の右側面、上側面にそれぞれ押しボタンスイッチＳＷ１、ＳＷ２を設ければ、これら２個の押しボタンスイッチＳＷ１、ＳＷ２のｏｎ／ｏｆｆ状態の組み合わせにより、映像モニタ８の設置位置を自動認識することができる。すなわち、「押しボタンスイッチＳＷ１、ＳＷ２がいずれもｏｆｆ」であれば、映像モニタ８の設置位置は図３の上段右列であり、「押しボタンスイッチＳＷ１がｏｆｆ、押しボタンスイッチＳＷ２がｏｎ」であれば、映像モニタ８の設置位置は図３の下段右列である。また、「押しボタンスイッチＳＷ１がｏｎ、押しボタンスイッチＳＷ２がｏｆｆ」であれば、映像モニタ８の設置位置は図３の上段左列であり、「押しボタンスイッチＳＷ１、ＳＷ２がいずれもｏｎ」であれば、映像モニタ８の設置位置は図３の下段左列である。
【００５３】
なお、上述の実施形態においては、押しボタンスイッチＳＷを用いる場合について説明したが、ＣｄＳ（Cadmium Sulfide）セルなどの光センサを代用することも可能である。すなわち、映像モニタ８のベゼル８１の４側面にそれぞれ光センサ（図示せず）を取り付けておき、映像モニタ８同士が隣接すると、この光センサの受光量が減少して抵抗値が変化することを利用して、映像モニタ８が自己の設置位置を自動認識するようにしても構わない。
【００５４】
なお、上述の実施形態においては、押しボタンスイッチＳＷを設ける場合について説明したが、マルチ表示装置２１、３１を構成する複数個の映像モニタ８を順次接続するＲＳ２３２Ｃケーブルなどの制御ケーブルの接続状態を利用することにより、押しボタンスイッチＳＷを設けなくても、各映像モニタ８は自己の設置位置を自動認識することができる。
【００５５】
例えば、４画面のマルチ表示装置２１の場合、図６に示すように、画面１〜４の順に制御ケーブル１３を接続する。すなわち、画面１（図６の上段左列の映像モニタ８）の制御端子Ｔ１と画面２（図６の上段右列の映像モニタ８）の制御端子Ｔ２とを制御ケーブル１３でつなぎ、画面２の制御端子Ｔ１と画面３（図６の下段左列の映像モニタ８）の制御端子Ｔ２とを制御ケーブル１３でつなぎ、画面３の制御端子Ｔ１と画面４（図６の下段右列の映像モニタ８）の制御端子Ｔ２とを制御ケーブル１３でつなぐ。
【００５６】
そして、映像モニタ８の設置位置の自動認識に際しては、各テレビジョン受像機１のマイコン１０は、図７に示すＩＤ自動検出プログラムＰＲＧ２に基づき、次に述べるとおり、各種の動作を順次実行する。
【００５７】
まず、マイコン１０は、エンラージ機能が選択されたか否かを判定し（ＩＤ自動検出プログラムＰＲＧ２のステップＳ１）、エンラージ機能が選択された場合、マイコン１０は、カウント処理を行う（ＩＤ自動検出プログラムＰＲＧ２のステップＳ２）。
【００５８】
すなわち、マイコン１０は、まず初期値ＩＤとして「１」を書き込む（ＩＤ自動検出プログラムＰＲＧ２のステップＳ９）。次いで、制御端子Ｔ２が接続されていない画面か否かを判定し（ＩＤ自動検出プログラムＰＲＧ２のステップＳ１０）、制御端子Ｔ２が接続されていない画面である場合は、ＩＤ＝１のままとなる。一方、制御端子Ｔ２が接続されていない画面でない場合、ＩＤに「１」を加える（ＩＤ自動検出プログラムＰＲＧ２のステップＳ１１）。さらに、制御端子Ｔ１から接続された次の映像モニタ８があるか否かを判定し（ＩＤ自動検出プログラムＰＲＧ２のステップＳ１２）、制御端子Ｔ１から接続された次の映像モニタ８がある限り、繰り返しステップＳ１１に戻ってＩＤに「１」を加える。
【００５９】
すると、このカウント処理の結果、画面１ではＩＤ＝１となり、画面２ではＩＤ＝２となり、画面３ではＩＤ＝３となり、画面４ではＩＤ＝４となる。
【００６０】
その後、マイコン１０は、ＩＤが「１」であるか否かを判定し（ＩＤ自動検出プログラムＰＲＧ２のステップＳ３）、ＩＤが「１」である場合、マイコン１０は、当該映像モニタ８にＩＤとして「１」を書き込む（ＩＤ自動検出プログラムＰＲＧ２のステップＳ４）。
【００６１】
逆に、ＩＤが「１」でない場合、マイコン１０は、ＩＤが「２」であるか否かを判定し（ＩＤ自動検出プログラムＰＲＧ２のステップＳ５）、ＩＤが「２」である場合、マイコン１０は、当該映像モニタ８にＩＤとして「２」を書き込む（ＩＤ自動検出プログラムＰＲＧ２のステップＳ６）。
【００６２】
逆に、ＩＤが「２」でない場合、マイコン１０は、ＩＤが「３」であるか否かを判定し（ＩＤ自動検出プログラムＰＲＧ２のステップＳ７）、ＩＤが「３」である場合、マイコン１０は、当該映像モニタ８にＩＤとして「３」を書き込む（ＩＤ自動検出プログラムＰＲＧ２のステップＳ８）。
【００６３】
逆に、ＩＤが「３」でない場合、マイコン１０は、ＩＤが「４」であるか否かを判定し、ＩＤが「４」である場合、マイコン１０は、当該映像モニタ８にＩＤとして「４」を書き込む。
【００６４】
このようにして、４画面のマルチ表示装置２１においては、すべての映像モニタ８が自己の設置位置を自動認識することができる。このとき、押しボタンスイッチＳＷを設ける必要がないため、余計なコストを削減することができる。
【図面の簡単な説明】
【００６５】
【図１】テレビジョン受像機の制御ブロック図である。
【図２】図１に示すテレビジョン受像機の映像モニタを示す正面図（上左図）、右側面図（上右図）および背面図（下図）である。
【図３】図２に示す映像モニタを用いて４画面のマルチ表示装置の一例を構成した状態を示す正面図である。
【図４】図２に示す映像モニタを用いて９画面のマルチ表示装置の一例を構成した状態を示す正面図である。
【図５】ＩＤ自動検出プログラムの第１例を示すフローチャートである。
【図６】図２に示す映像モニタを用いて４画面のマルチ表示装置の別の例を構成した状態を示す正面図である。
【図７】ＩＤ自動検出プログラムの第２例を示すフローチャートである。
【符号の説明】
【００６６】
１……テレビジョン受像機（画像表示装置）
２……チューナ
３……ビデオ入力部
４……ビデオスイッチ
５……フレームメモリ
６……映像処理回路
８……映像モニタ
９……Ｒ／Ｃ受光部
１０……マイコン
１１……ＲＯＭ（メモリ手段）
１２……メモリマップ
１３……制御ケーブル
２１……４画面のマルチ表示装置
３１……９画面のマルチ表示装置
８１……ベゼル
ＳＷ１〜ＳＷ４……押しボタンスイッチ
Ｔ１、Ｔ２……制御端子
【図１】
2006261842.tif 000003
【図２】
2006261842.tif 000004
【図３】
2006261842.tif 000005
【図４】
2006261842.tif 000006
【図５】
2006261842.tif 000007
【図６】
2006261842.tif 000008
【図７】
2006261842.tif 000009